(57)【要約】      （修正有）【課題】ウィルス感染が死因の遺体からの二次感染の可能性を可及的に低減した状態で遺体の運搬や埋葬を行うことが可能な遺体保護袋を提供する。【解決手段】通気性を有し血液及びウィルスを通さない材料で作製された第一収納袋１０と、防水材料で作製された第二収納袋２０と、第一収納袋１０及び第二収納袋２０に比べて耐久性の高い材料で作製され、袋の縁に沿って複数の把持用環部が設けられた第三収納袋３０と、を備え、遺体を第一収納袋１０に収納し、遺体を収納した第一収納袋１０を第二収納袋２０に収納し、遺体を収納した第一収納袋１０を収納した第二収納袋２０を第三収納袋３０に収納して使用する。【選択図】図１７
0003202012.tif 000002
【実用新案登録請求の範囲】
【請求項１】
通気性を有し血液及びウィルスを通さない材料で作製された第一収納袋と、
防水材料で作製された第二収納袋と、
前記第一収納袋及び前記第二収納袋に比べて耐久性の高い材料で作製され、袋の縁に沿って複数の把持用持手を設けた第三収納袋と、
を備え、
遺体を前記第一収納袋に収納し、遺体を収納した前記第一収納袋を前記第二収納袋に収納し、遺体を収納した前記第一収納袋を収納した前記第二収納袋を前記第三収納袋に収納して使用することを特徴とする遺体保護袋。
【請求項２】
前記第一収納袋は、スパンボンド不織布を材料で作製され、
前記第二収納袋は、ポリエチレンフィルムを材料で作製され、
前記第三収納袋は、ポリエチレン製の厚布を材料で作製されることを特徴とする請求項１に記載の遺体保護袋。
【請求項３】
前記第一収納袋の内部に、第一濃度の二酸化塩素ガスを放出する第一二酸化塩素放出手段と、前記第一濃度と異なる第二濃度の二酸化塩素ガスを放出する第二二酸化塩素放出手段と、を備えたことを特徴とする請求項１又は請求項２に記載の遺体保護袋。
【考案の詳細な説明】
【技術分野】
【０００１】
本考案は、遺体を収納する遺体袋に関し、詳しくは、ウィルス感染で死亡した遺体を収納するための遺体保護袋に関するものである。
【背景技術】
【０００２】
従来、様々な使用状況に応じた各種の遺体袋が提案されている。
【０００３】
例えば、特許文献１には、本体布内に遺体を収納した状態で、ジッパーを閉じて細長い筒状に形成すると共に、その長手方向両端に設けられた端部閉塞布によって両端部を閉塞し、その状態で複数対の搬送用取手により安全に遺体を搬送することができる遺体袋が開示されている。この特許文献２に記載の遺体袋によれば、遺体の搬送が容易であり、足場の悪い傾斜した搬送路等においても遺体が袋から抜け出ることがない。しかも、取扱い易く且つ迅速に遺体を内部に収納することができる。
【０００４】
また、特許文献２には、略長方形の防水性布材を略中心で半分に折畳むことによって死体を上下から挟込んで覆うことができるカバーと、このカバーの縁部に縫着され、折畳んで袋状となった上下布材の相対する縁部を開閉可能なファスナと、カバーの底面に固着され、袋状となったカバーの左右複数個所から環状に延出させた紐材からなる手持部とを備え、死体または負傷者等をカバー内に収納でき、収納状態のまま運搬等を行うことができる万能担架としての遺体袋が開示されている。この特許文献２に記載の遺体袋によれば、遺体を容易に包込むことができるとともに、体液及び死臭の漏れを大きく減少させ、担架としての機能も有し、怪我人や病人等の負傷者の運搬等が極めて容易にでき、しかも検死及び遺体確認等の作業性も改善される。
【先行技術文献】
【特許文献】
【０００５】
【特許文献１】実用新案登録第３１２６２６９号公報
【特許文献２】特開平９−７５３９５号公報
【考案の概要】
【考案が解決しようとする課題】
【０００６】
近年、感染力が強く致死率の高いエボラ出血熱や鳥インフルエンザ等への集団感染が報告されており、爆発的感染（パンデミック）の危険性も懸念されている。
【０００７】
エボラ出血熱は、人類が発見したウィルスの中で最も危険なウィルスの1つであり、フィロウィルス科エボラウィルス属のウィルス（以下、エボラウィルスと記載する。）を病原体とする急性ウィルス性感染症である。エボラウィルスはヒトにも感染し、死亡率が５０〜８０％に上る種類も存在する。
【０００８】
エボラウィルスは、体液接触により感染するため、エボラウィルスに感染した動物や感染した人の傷口や粘膜の体液に接触するとウィルスが侵入して感染する。すなわち、エボラ出血熱を発症した患者の体液等（血液、分泌 物、吐物・排泄物）や体液等に汚染された物質（シーツ、衣類、医療器具、患者が使用した生活用品など）に傷口や粘膜が触れると感染する可能性がある。更には、エボラ出血熱に感染して死亡した遺体に傷口や粘膜が触れると二次感染する可能性がある。
【０００９】
鳥インフルエンザは、トリ型の遺伝子を持つＡ型インフルエンザウィルスが鳥類に感染して起きる鳥類の感染症であるが、ヒトインフルエンザウィルスと混じり合うことで、ヒトの間で直接感染（ヒトヒト感染）する能力を持つ新型インフルエンザのウィルスに変異する可能性ある。新型インフルエンザが発生してからワクチンが開発されるまで半年以上かかると言われており、その間に爆発的感染（パンデミック）を引き起こす可能性がある。現在のところ、鳥インフルエンザにかかったヒトからヒトへの効率的で持続的な感染の報告は為されていないが、インドネシア・ベトナムなどで遺伝形質が近縁な親族内での限定的で非接続的なヒトからヒトへの感染例が報告されている。
【００１０】
鳥インフルエンザウィルスは、鳥インフルエンザウィルスに感染した鳥の体液、排泄物などを吸い込んだり、感染した鳥やその排泄物、死体、臓器などに濃厚に接触したりすることにより感染する。すなわち、鳥インフルエンザについても、鳥インフルエンザに感染して死亡した遺体に接触すると、二次感染が発生する可能性がある。
【００１１】
このように、エボラウィルスや鳥インフルエンザウィルス等に感染して亡くなった人の遺体に触れることで二次感染が発生する可能性があるため、これらウィルスがパンデミックを引き起こす可能性があり、同時期に大量の遺体が発生する可能性がある。大量の遺体は、更なる二次感染の感染源となる。
【００１２】
この二次感染の連鎖を食い止めるには、遺体を科学的知見に基づく最適な埋葬方法（火葬等）で埋葬する必要があるが、火葬には、一体当たり、簡易木薪炉で６〜１０時間程度、設計の優れた木薪炉で４時間程度。重油炉で2時間程度、最新式の都市ガスやＬＰガスを用いる炉でも１時間を要する。従って、大量の遺体が発生した場合は、科学的知見に基づく最適な埋葬方法を実施できない可能性が極めて高く、他の埋葬方法（土葬等）を選択せざるを得ない可能性を念頭に置く必要がある。また、世界的には、宗教的、風俗的な理由から、科学的知見に基づく最適な埋葬方法が許容されない地域・民族・集団もあるため、土葬を選択せざるを得ない場合もある。
【００１３】
従って、エボラウィルスや鳥インフルエンザウィルス等に感染して同時期に大量に亡くなった人の遺体を土葬等で埋葬し、土葬された遺体からウィルスが完全に死滅するまでの間、遺体からの二次感染を防止する遺体袋が必要である。しかしながら、上記特許文献１及び２に記載の万能担架や遺体袋は、遺体処理者の遺体の搬送に係る負担は軽減できるものの、二次感染を完全に防止することはできず、致死率の高いウィルスに感染した遺体からの二次感染を防止する機能を備えたものではなかった。
【００１４】
この考案は、上記課題を解決するためになされたもので、ウィルス感染が死因の遺体からの二次感染の可能性を可及的に低減した状態で遺体の運搬や埋葬を行うことが可能な遺体保護袋を提供することを目的とする。
【課題を解決するための手段】
【００１５】
請求項１に記載の考案は、通気性を有し血液及びウィルスを通さない材料で作製された第一収納袋と、防水材料で作製された第二収納袋と、前記第一収納袋及び前記第二収納袋に比べて耐久性の高い材料で作製され、袋の縁に沿って複数の把持用持手を設けた第三収納袋と、を備え、遺体を前記第一収納袋に収納し、遺体を収納した前記第一収納袋を前記第二収納袋に収納し、遺体を収納した前記第一収納袋を収納した前記第二収納袋を前記第三収納袋に収納して使用することを特徴とする遺体保護袋とした。
【００１６】
請求項２に記載の考案は、請求項１に記載の考案において、前記第一収納袋は、スパンボンド不織布を材料で作製され、前記第二収納袋は、ポリエチレンフィルムを材料で作製され、前記第三収納袋は、ポリエチレン製の厚布を材料で作製されることを特徴とする。
【００１７】
請求項３に記載の考案は、請求項１又は請求項２に記載の考案において、前記第一収納袋の内部に、第一濃度の二酸化塩素ガスを放出する第一二酸化塩素放出手段と、前記第一濃度と異なる第二濃度の二酸化塩素ガスを放出する第二二酸化塩素放出手段と、を備えたことを特徴とする。
【考案の効果】
【００１８】
本考案によれば、ウィルス感染した遺体を、通気性を有し血液及びウィルスを通さない材料で作製された第一収納袋に収納し、遺体を収納した第一収納袋を防水材料で作製された第二収納袋に収納し、さらに、遺体を収納した第一収納袋を収納した第二収納袋を、第一収納袋及び前記第二収納袋に比べて耐久性の高い材料で作製され、袋の縁に沿って複数の把持用持手を設けた第三収納袋に収納する三重構造としたため、遺体保護袋の内部にウィルスを密封することができ、遺体のウィルスを一定期間（例えば、ウィルスが死滅するのに必要な期間）外部に漏らすことがなく遺体の運搬や土葬を行うことが可能な遺体保護袋を提供することができる。
【００１９】
また、第一収納袋は、ポリエステルやポリエチレンを素材としたスパンボンド不織布を材料として作製され、前記第二収納袋は、ポロエチレンフィルムを材料として作製され、前記第三収納袋は、ポリエチレン製の厚布を材料として作製されている。このように、三重構造を構成するそれぞれの収納袋を、機能的に特化した素材により作製することで、主に、第一収納袋及び第二収納袋の防血液、防水及び防ウィルス機能により遺体のウィルスを第一収納袋及び第二収納袋の内部に密封することができ、且つ、第三収納袋に耐久性に優れたポリエチレン製の厚布を用いることにより、搬送や土葬時にも第一収納袋を収納した第二収納袋を保護する耐久性の高い遺体保護袋を提供することができる。
【００２０】
また、第一収納袋の内部に、第一濃度の二酸化塩素ガスを放出する第一二酸化塩素放出手段と、第一濃度と異なる第二濃度の二酸化塩素ガスを放出する第二二酸化塩素放出手段との複数の二酸化塩素放出手段を備えている。すなわち、防血液及び防ウィルス機能に優れたスパンボンド不織布より構成された第一収納袋の内部に複数の第一二酸化塩素放出手段及び第二二酸化塩素放出手段を備え、第一収納袋に遺体を収納した後、まず、第一二酸化塩素放出手段により高濃度（例えば、４０ｐｐｍ）の二酸化塩素ガスを短期間（約２０分）放出する。これにより、第一収納袋の内部のウィルスを殺菌する効果が期待できる。このように、高濃度の二酸化塩素ガスを短期間放出することで、例えば、エボラウィルスに感染した遺体のエボラウィルスを短時間で殺菌することができ、その後の、遺体保護袋の搬送や埋葬を行う人員（以下、運搬者ともいう）に対する２次感染を防止することができ安全性を高めることができる。なお、第一二酸化塩素放出手段により高濃度の二酸化塩素を放出した後は、所定時間（例えば、３０分）の間は、遺体の運搬者が第一収納袋に触れたり、移動させたりすることがないようにする必要がある。
【００２１】
そして、第二二酸化塩素放出手段により低濃度（例えば、０．１ｐｐｍ）の二酸化塩素を長期間（約１〜２ヵ月）放出する。これにより、ウィルスの殺菌を継続すると共に、遺体の細菌やカビ等の微生物の繁殖による腐敗によるガスの発生を所定期間防止することができる。このように、遺体からのガスの発生を抑制することにより、遺体を収納した第一収納袋がガスの発生により膨張して破裂することを防止することができる。
【００２２】
一般に、細菌は、感染した生物から栄養をもらって自力で増殖するため、遺体から栄養を補給して増殖できる。これに対してウィルスは自力で増殖することができず、生きている細胞の細胞分裂を利用して増殖する。このため、遺体が収納された第一収納袋の内部においては、時間の経過とともにウィルスは増殖することなく死滅することになる。しかし、遺体においても、髪の毛や爪においては、死亡後も所定期間（例えば、髪の毛では最長１か月）細胞分裂が行われる場合がある。このため、上記第二二酸化塩素放出手段によりにより二酸化塩素を長期間（約１〜２ヵ月）放出することで、遺体に感染したウィルスの完全な死滅を図ることが可能となる。
【図面の簡単な説明】
【００２３】
【図１】本考案の実施形態における第一収納袋を説明する図である。
【図２】本考案の実施形態における第一収納袋を説明する図である。
【図３】本考案の実施形態における第一収納袋を説明する図である。
【図４】本考案の実施形態における第一収納袋を説明する図である。
【図５】本考案の実施形態における第一収納袋を説明する図である。
【図６】本考案の実施形態における第二収納袋を説明する図である。
【図７】本考案の実施形態における第二収納袋を説明する図である。
【図８】本考案の実施形態における第二収納袋を説明する図である。
【図９】本考案の実施形態における第二収納袋を説明する図である。
【図１０】本考案の実施形態における第二収納袋を説明する図である。
【図１１】本考案の実施形態における第三収納袋を説明する図である。
【図１２】本考案の実施形態における第三収納袋を説明する図である。
【図１３】本考案の実施形態における第三収納袋を説明する図である。
【図１４】本考案の実施形態における第三収納袋を説明する図である。
【図１５】本考案の実施形態における遺体保護袋の使用状態を説明する図である。
【図１６】本考案の実施形態における遺体保護袋の使用状態を説明する図である。
【図１７】本考案の実施形態における遺体保護袋の使用状態を説明する図である。
【図１８】本考案の実施形態における遺体保護袋のサイズを説明する図である。
【図１９】本考案の実施形態における第一二酸化塩素放出手段及び第二二酸化塩素放出手段を備えた第一収納袋を説明する図である。
【図２０】本考案の実施形態における第一二酸化塩素放出手段及び第二二酸化塩素放出手段を備えた第一収納袋を説明する図である。
【図２１】本考案の実施形態における第一二酸化塩素放出手段及び第二二酸化塩素放出手段を備えた第一収納袋を説明する図である。
【考案を実施するための形態】
【００２４】
以下、本考案の一実施形態について図面を用いて詳細に説明する。
【００２５】
以下、本実施形態における遺体保護袋について説明する。本実施形態における遺体保護袋は、遺体を収納する防血液及び防ウィルス機能を備えた第一収納袋と、防水及び防ウィルス機能を備えた第二収納袋と、遺体を搬送する搬送機能を備えた第三収納袋と、により構成され、ウィルス感染した遺体を第一収納袋に収納し、当該第一収納袋を第二収納部袋に収納し、さらに、第２収納部袋を第３収納袋に収納する三重構造としたことに特徴を有する。
【００２６】
まず、図１〜５を参照して、遺体を収納する防血液及び防ウィルス機能を備えた第一収納袋１０の構成を説明する。図１〜５は本考案の三重構造の遺体保護袋において、ウィルス感染した遺体を収納する第一収納袋を説明する図である。
【００２７】
図１に示すように、第一収納袋１０は、素材として防血液及び防ウィルス機能に優れた、ポリエステルやポリエチレンを素材とした一枚の長方形のスパンボンド不織布１１が用いられる。スパンボンド不織布１１の長手側の両端は、長手側の両端端部に設けられた４か所の縫合部１２を残して凹状に切欠き部１３が形成されている。
【００２８】
スパンボンド不織布１１の長手側の切欠き部１３の中央近傍には、それぞれ通気部１４が設けられている。通気部１４は、スパンボンド不織布１１に所定径(例えば、直径１０ｍｍ)の通気口１４ａが所定間隔（例えば、１０ｍｍ間隔）で上下２段に亘って８箇所設けられている。そして、この８箇所の通気口１４ａは、縦Ｈ５０ｍｍ、横Ｗ９０ｍｍの長方形の静電気帯電フィルタ４０で覆われている。
【００２９】
静電気帯電フィルタ４０は、メルトブロン不織布４１の上下をポリプロピレン不織布４２で挟んで静電気を帯電して一体になるように構成されており、通気性はあるが防血液及び防ウィルス機能を備えたものである。この静電気帯電フィルタ４０を通気口１４ａに接着することで、通気口１４ａから第一収納袋１０内に充填したガスを第一収納袋１０の外に排出することが可能となり、遺体の腐敗等で発生したガスによる第一収納袋１０の破裂や破損等を防止することができる。但し、静電気帯電フィルタ４０は、ガスは通過可能であるが、遺体からの血液やウィルスを第一収納袋１０の外部に漏らすことがない。
【００３０】
図２（ａ）に示す一枚の長方形のスパンボンド不織布１１を、図２（ｂ）に示すように、長手側の両端の縫合部１２をそれぞれ重ねて縫合して円筒形を形成する。そして、図２（ｃ）に示すように、長手方向の両端の切欠き部１３にファスナー部１５のテープ部１５ｂとスパンボンド不織布１１とを縫合して取付けて長方形の袋状の第一収納袋１０を形成する。ファスナー部１５は、二つのスライダー１５ａ、１５ａの頭を突き合わせたダブルスライダーを用い、遺体を第一収納袋１０に収納する場合の操作性の向上を図っている。
【００３１】
図３（ａ）に示すように、袋状の第一収納袋１０の短手側を絞り、図３（ｂ）に示すように、絞った短手側を折り返して折り返し部１６を形成し、この折り返し部１６を縫合する。これにより、砲弾型の第一収納袋１０が形成される。図３（ｃ）に示すように、第一収納袋１０の縫合部（ファスナー部１５のテープ部１５ｂとスパンボンド不織布１１との縫合部、折り返し部１６の縫合部）は、封止テープＴ１により封止されて、血液、ウィルス及びガス等が縫合部から第一収納袋１０の外に漏れないようにシールする。
【００３２】
封止テープＴ１としては、例えば、ホットメルトテープ等が好適に用いられる。ホットメルトテープを用いればアイロンなどを用いて、封止テープＴ１をスパンボンド不織布１１に加熱圧着することができ、縫合部を容易にシールすることが可能となる。
【００３３】
図４に示すように、ファスナー部１５の二つのスライダー１５ａ、１５ａそれぞれの引手の孔に、ファスナー用封止テープＴ２と第一収納袋１０に遺体を収容する手順書Ｍ１をそれぞれ結束バンド等で取付ける。ファスナー用封止テープＴ２は、上記封止テープＴ１と同じホットメルトテープ等が好適に用いられ、遺体を第一収納袋１０に収納した後に、ファスナー部１５をシールするものである。手順書Ｍ１は、遺体を第一収納袋１０に収納する手順や収納時の注意事項等が記載されたものである。
【００３４】
図５に示すように、遺体を第一収納袋１０に収納した後は、ファスナー用封止テープＴ２により、ファスナー部１５がシールされる。これにより、遺体の腐敗等で発生したガスは、第一収納袋１０の通気部１４より第一収納袋１０の外に排出されるが、遺体からの血液やウィルスは第一収納袋１０の内部に密封される構成の第一収納袋１０とすることができる。
【００３５】
以上のようにして作製された第一収納袋１０は、図４に示すように、略封筒状の袋形状であり、その上面の短手方向略中央を長手方向に沿って延びる開閉自在のファスナー部１５を有する。また、第一収納袋１０の上面には、ファスナー部１５の長手方向略中央付近に、ファスナー部１５の両側に通気部１４がそれぞれ設けてある。第一収納袋１０の通気部１４は、通気性を有しつつ血液及びウィルスを通さないメルトブロン不織布によって閉塞されている。
【００３６】
次に、図６〜１０を参照して、遺体を収納した第一収納袋１０を収納し、防水及び防ウィルス機能を備えた第二収納袋２０の構成を説明する。図６〜１０は本考案の遺体保護袋を構成する第二収納袋２０を説明する図である。
【００３７】
図６に示すように、第二収納袋２０は、素材として防水及び防ウィルス機能に優れた、ポリエチレンを素材とした一枚の略長方形のポリエチレンフィルム２１が用いられる。このポリエチレンフィルム２１は、所定厚み（略９ｍｍ）を有し、所定期間（略２年）内部に収納した第一収納袋１０の防水機能及び第一収納袋１０から流出したウィルスの密封機能を有するものである。ポリエチレンフィルム２１の長手側の両端は、両端４か所の溶着部２２を残して凹状に切欠き部が形成されている。ポリエチレンフィルム２１の短手側の両端は略Ｍ字状に切り欠かれており、ポリエチレンフィルム２１の長手側の両端を折り畳んだ場合に、この略Ｍ字状の切り欠きの端部が溶着されて第二収納袋２０が形成される。
【００３８】
ポリエチレンフィルム２１の長手側の両端の切欠き部の中央近傍には、それぞれ通気部２４が設けられている。この通気部２４は、上記第一収納袋１０と同様に、ポリエチレンフィルム２１に所定径(例えば、直径１０ｍｍ)の通気口２４ａが所定間隔（例えば、１０ｍｍ間隔）で上下２段に亘って８箇所設けられている。そして、この８箇所の通気口１４ａは、これも上記第一収納袋１０と同様に、縦Ｈ５０ｍｍ、横Ｗ９０ｍｍの長方形の静電気帯電フィルタ４０で覆われている。
【００３９】
静電気帯電フィルタ４０は、メルトブロン不織布４１の上下をポリプロピレン不織布４２で挟んで静電気を帯電して一体になるように構成されており、通気性はあるが防水及び防ウィルス機能を備えたものである。この静電気帯電フィルタ４０を通気口２４ａに接着することで、通気口２４ａから第二収納袋２０内に充填したガスを第二収納袋２０の外に排出することが可能となり、遺体の腐敗等で発生し、第一収納袋１０から排出されたガスによる第二収納袋２０の破裂や破損等を防止することができる。
【００４０】
図７（ａ）に示す一枚の略長方形のポリエチレンフィルム２１を、図７（ｂ）に示すように、長手側の両端の溶着部２２がそれぞれ重なるように折って略砲弾型を形成する。そして、図７（ｃ）に示すように、長手側の両端の溶着部２２とポリエチレンフィルム２１の短手側の略Ｍ字状の切り欠きの端部とを溶着して第二収納袋２０が形成される。
【００４１】
図８（ａ）に示すように、ポリエチレンフィルム２１の長手方向の両端の切欠き部に、ファスナー部１５のテープ部１５ｂをポリエチレンフィルム２１に溶着して取付けて略砲弾型の袋状の第二収納袋２０を形成する。上記第一収納袋１０と同様に、ファスナー部１５は、二つのスライダー１５ａ、１５ａの頭を突き合わせたダブルスライダーを用い、第一収納袋１０を第二収納袋２０に収納する場合の操作性の向上を図っている。
【００４２】
図８（ｂ）に示すように、略砲弾型の袋状の第二収納袋２０の表面は、同じ形状及び素材（ポリエチレンフィルム）のカバー２３で覆われる。この時、カバー２３の下面の端部には、第二収納袋２０の表面と溶着するカバー２３の溶着部２３ａを除いて、面ファスナー２５が接着される。第二収納袋２０の表面端部には、これもカバー２３の溶着部２３ａに当接する部分を除いて、面ファスナー２５が接着される。第二収納袋２０の表面端部に接着される面ファスナー２５の短手側端部は、折り返して第二収納袋２０の裏面まで至るように面ファスナー２５が接着される。また、カバー２３の短手側端部とカバー２３の下面の端部に接着される面ファスナー２５の短手側端部とは、第二収納袋２０の裏面に亘って接着された面ファスナー２５の短手側端部と着脱可能にするために、第二収納袋２０の表面の短手側端部よりも長くなっている。
【００４３】
図９（ａ）に示すように、カバー２３は、第二収納袋２０の表面の長手側一側端に、カバー２３の溶着部２３ａを溶着して取付けられる。カバー２３の溶着部２３ａを除いた端部下面に接着された面ファスナー２５と、第二収納袋２０の表面端部にカバー２３の溶着部２３ａに当接する部分を除いて接着された面ファスナー２５とを接着することで、第二収納袋２０の表面はカバー２３で覆われることになる。
【００４４】
このように構成された第二収納袋２０によれば、収納した第一収納袋１０から排出されたガスを、第二収納袋２０の外に排出すると共に、第二収納袋２０内の第一収納袋から万一漏れだした水分（腐敗による体液）やウィルスを第二収納袋２０の内部に密封することができる。また、本実施形態においては、第一収納袋１０を収納した第二収納袋２０は、後述の第三収納袋３０（図１４参照）に収納され、所定の場所に安置又は埋葬（土葬）されるが、第三収納袋３０は、耐久性に優れたポリエチレンを素材としたスパンボンド不織布からなる土嚢袋より構成されている。このため、第三収納袋３０は耐久性に優れているが防水性には難がある。しかし、例えば、土葬後に第三収納袋３０を地下水等が浸透してきた場合でも、第二収納袋２０は防水機能の高いポリエチレンフィルムのカバー２３で覆われているため、第二収納袋２０の上部から浸透した水は、このカバー２３を通過することがない。
【００４５】
図１０に示すように、ファスナー部１５の二つのスライダー１５ａ、１５ａそれぞれの引手の孔に、ファスナー用封止テープＴ２と第二収納袋２０に第一収納袋１０を収納する手順書Ｍ２をそれぞれ結束バンド等で取付ける。ファスナー用封止テープＴ２は、上記封止テープＴ１と同じホットメルトテープ等が好適に用いられ、第一収納袋１０を第二収納袋２０に収納した後に、ファスナー部１５をシールするものである。手順書Ｍ２は、第一収納袋１０を第二収納袋２０に収納する手順や収納時の注意事項等が記載されたものである。
【００４６】
以上のようにして作製された第二収納袋２０は、図１０に示すように、略封筒状の袋形状であり、その上面の短手方向略中央を長手方向に沿って延びる開閉自在のファスナー部１５を有する。また、第二収納袋２０の上面には、ファスナー部１５の長手方向略中央付近に、ファスナー部１５の両側に通気部１４がそれぞれ設けてある。第一収納袋１０の通気部１４は、通気性を有しつつ血液及びウィルスを通さないメルトブロン不織布によって閉塞されている。
【００４７】
最後に、図１１〜１４を参照して、第一収納袋１０を収納した第二収納袋２０を収納し、耐久性に優れた第三収納袋３０の構成を説明する。図１１〜１４は本考案の遺体保護袋を構成する第三収納袋３０を説明する図である。
【００４８】
図１１に示すように、第三収納袋３０は、一枚の略長方形のポリエチレン製の厚布３１が用いられる。この厚布３１は、例えば、土嚢袋として好適に用いられるポリエチレン製の厚布（例えば、厚さ１ｍｍ）であり、搬送時の負荷や衝撃、摩擦等の耐久性に優れ、土葬した場合に内部に収納される第一収納袋１０を収納した第二収納袋２０を保護するためのものである。厚布３１の長手側の両端は、両端４か所の縫合部３２を残して凹状に切欠き部が形成されている。
【００４９】
図１２（ａ）に示すように、厚布３１の底面には、厚布３１の短手方向に平行に所定間隔を開けて複数（３枚）の持ち手部３５が、両端から一定間隔を残して厚布３１の底面に縫合されている。この持ち手部３５は、リング状に形成されており、素材としては、厚布３１と同じポリエチレン製の厚布が用いられる。また、厚布３１の底面に両端から一定間隔を残して持ち手部３５を縫合することにより、持ち手部３５の両端は、図１２（ｃ）に示すように、第三収納袋３０の両側面に複数（左右６カ所）の把持用持手３６が形成される。
【００５０】
図１２（ａ）に示す一枚の略長方形の厚布３１を、図７（ｂ）に示すように、長手側の両端の縫合部３２がそれぞれ重なるように円筒形を形成し、縫合部３２をそれぞれ縫合する。そして、図７（ｃ）に示すように、厚布３１の長手方向の両端の切欠き部に、ファスナー部１５のテープ部１５ｂを縫合するとともに、厚布３１の短手方向の両端をそれぞれ縫合することで、略円筒型の袋状の第三収納袋３０を形成する。上記第一収納袋１０及び第二収納袋２０と同様に、ファスナー部１５は、二つのスライダー１５ａ、１５ａの頭を突き合わせたダブルスライダーを用い、第一収納袋１０を収納した第二収納袋２０を、第三収納袋３０に収納する場合の操作性の向上を図っている。
【００５１】
図１３に示すように、第三収納袋３０の表面は、同じ形状及び素材（ポリエチレン製の厚布）のカバー３３で覆われる。この時、カバー３３の長手側の一側端には、第三収納袋３０の表面と縫合する縫合部３３ａが設けられ、カバー３３の長手側の他側端裏面には、複数（３カ所）の面ファスナー２５が接着される。第三収納袋３０の表面端部には、これもカバー３３の長手側の他側端裏面に設けられた面ファスナー２５と当接する位置に、複数（３カ所）の面ファスナー２５が接着される。
【００５２】
図１３に示すように、カバー３３は、第三収納袋３０の表面の長手側一側端とカバー２３の縫合部３３ａとを縫合して取付けられる。そして、カバー３３の長手側の他側端裏面に設けた複数の面ファスナー２５と、第三収納袋３０の表面端部にカバー３３の長手側の他側端裏面に設けられた面ファスナー２５と当接する位置に設けた複数の面ファスナー２５とを接着することで、第三収納袋３０の表面はカバー３３で覆われることになる。
【００５３】
図１４に示すように、カバー３３の表面には、３箇所の書類等を保持可能な書類保持部３３ｂが設けられている。この書類保持部３３ｂは、所定規格（Ａ４、Ｂ３等）のクリアファイル等が好適に用いられ、例えば、３箇所の書類保持部３３ｂのうち、一つの書類保持部３３ｂには、遺体の姓名、誕生年月日、死亡年月日等が記載された書類が保持され、一つの書類保持部３３ｂには、遺体の写真（顔写真）等が保持され、一つの書類保持部３３ｂには、埋葬許可書等の公的書類等が保持されることにより、本実施形態の遺体保護袋に収納された遺体の身元等を明確にすることができる。
【００５４】
このように構成された第三収納袋３０によれば、遺体を収納した第一収納袋１０を収納した第二収納袋２０を保護することができ、搬送や埋葬時の衝撃や摩擦に対して耐久性の高い遺体保護袋を構成することが可能となる。
【００５５】
以上のようにして作製された第三収納袋３０は、図１４に示すように、略円筒状の袋形状であり、その上面の短手方向略中央を長手方向に沿って延びる開閉自在のファスナー部１５を有する。また、第三収納袋３０の上面は３箇所の書類等を保持可能な書類保持部３３ｂが設けられたカバー３３で覆われている。また、第三収納袋３０の両側面には、複数（左右６カ所）の把持用持手３６が形成されている。
【００５６】
以下、本実施形態における遺体保護袋に遺体を収納する使用例を説明する。まず、図１５を参照して、遺体保護袋を構成する防血液及び防ウィルス機能を備えた第一収納袋１０への遺体の収納を説明する。
【００５７】
本実施形態の第一収納袋１０は、遺体保護袋を構成する一番目の収納袋であり、梱包を解除すると、図４に示すように、ファスナー部１５の二つのスライダー１５ａ、１５ａそれぞれの引手の孔に、ファスナー用封止テープＴ２と第一収納袋１０に遺体を収容する手順書Ｍ１とがそれぞれ結束バンド等で取付けられた状態である。この状態からファスナー用封止テープＴ２と手順書Ｍ１とを取外した状態で、第一収納袋１０へ遺体を収納する。
【００５８】
なお、基本的には、第一収納袋１０への遺体の収納手順は、取外した手順書Ｍ１に、第一収納袋１０の取り扱いの注意事項と共に記載されている。すなわち、作業者は、手順書Ｍ１の記載に従うことで、容易に遺体を第一収納袋１０へ収納できるようにしている。なお、この手順書Ｍ１には、第一収納袋１０への遺体の収納手順が、英語、中国語、フランス語等の所謂公用語で記載されると共に、図等も同時に記載することで、初めて本実施形態の遺体保護袋を使用する場合でも、確実及び安全に作業可能なように配慮されたものである。
【００５９】
図１５（ａ）に示すように、ファスナー部１５の二つのスライダー１５ａ、１５ａを、第一収納袋１０の上下端（つまり、最大幅）まで移動させて、第一収納袋１０の収納口１０ａを開口する。遺体Ａを収納口１０ａから第一収納袋１０の内部に収納する。図１５（ｂ）に示すように、ファスナー部１５の二つのスライダー１５ａ、１５ａ中央部まで移動させて収納口１０ａを閉鎖する。そして、図１５（ｃ）に示すように、先ほど取外したファスナー用封止テープＴ２により、ファスナー部１５の全体をシールして、第一収納袋１０への遺体Ａの収納が完了する。なお、遺体Ａが、例えば、エボラウィルス等に感染している場合は、第一収納袋１０へ遺体を収納する作業者は、所定の防護服等を着用してウィルスの二次感染を防いだ状態で行われる。
【００６０】
次に、図１６を参照して、遺体保護袋を構成する防水及び防ウィルス機能を備えた第二収納袋２０への第一収納袋１０の収納を説明する。
【００６１】
本実施形態の第二収納袋２０は、遺体保護袋を構成する二番目の収納袋であり、梱包を解除すると、図１０に示すように、ファスナー部１５の二つのスライダー１５ａ、１５ａそれぞれの引手の孔に、ファスナー用封止テープＴ２と第二収納袋２０に遺体を収容する手順書Ｍ２とがそれぞれ結束バンド等で取付けられた状態である。この状態からファスナー用封止テープＴ２と手順書Ｍ２とを取外した状態で、第二収納袋２０へ遺体Ａを収納した第一収納袋１０を収納する。
【００６２】
なお、基本的には、第二収納袋２０への遺体の収納手順は、取外した手順書Ｍ２に、第二収納袋２０の取り扱いの注意事項と共に記載されている。すなわち、作業者は、手順書Ｍ２の記載に従うことで、容易に第一収納袋１０を第二収納袋２０へ収納できるようにしている。なお、この手順書Ｍ２は、上記第一収納袋１０の手順書Ｍ１と同様に、第二収納袋２０への遺体の収納手順が、英語、中国語、フランス語等の所謂公用語で記載されると共に、図等も同時に記載することで、初めて本実施形態の遺体保護袋を使用する場合でも、確実及び安全に作業可能なように配慮されたものである。
【００６３】
図１６（ａ）に示すように、ファスナー部１５の二つのスライダー１５ａ、１５ａを、第二収納袋２０の上下端（つまり、最大幅）まで移動させて、第二収納袋２０の収納口２０ａを開口する。遺体Ａを収納した第一収納袋１０を収納口２０ａから第二収納袋２０の内部に収納する。そして、図１６（ｂ）に示すように、ファスナー部１５の二つのスライダー１５ａ、１５ａ中央部まで移動させて収納口１０ａを閉鎖して、先ほど取外したファスナー用封止テープＴ２により、ファスナー部１５の全体をシールする。図１６（ｃ）に示すように、カバー２３の裏面端部に設けられた面ファスナー２５と第二収納袋２０の表面端部に設けられた面ファスナー２５とを当接させて接着し、カバー２３により第二収納袋２０の表面を覆った状態とすることで、第二収納袋２０への遺体Ａを収納した第一収納袋１０の収納が完了する。
【００６４】
最後に、図１７を参照して、遺体保護袋を構成する耐久性を有する第三収納袋３０への第二収納袋２０の収納を説明する。
【００６５】
本実施形態の第三収納袋３０は、遺体保護袋の最外層を構成する収納袋である。図１４に示すように、梱包を解除した状態では、第三収納袋３０の表面はカバー３３で覆われた状態である。この状態から、第三収納袋３０の表面からカバー３３の一側面に設けられた面ファスナー２５を剥離してファスナー部１５を露出させ、このファスナー部１５を開放して遺体Ａを収納した第一収納袋１０を収納した第二収納袋２０を第三収納袋３０に収納する。
【００６６】
図１７（ａ）に示すように、第三収納袋３０の表面からカバー３３の一側面に設けられた面ファスナー２５を剥離してファスナー部１５を露出させる。第三収納袋３０の表面のファスナー部１５の二つのスライダー１５ａ、１５ａを、第三収納袋３０の上下端（つまり、最大幅）まで移動させて、第三収納袋３０の収納口３０ａを開口する。この収納口３０ａから第二収納袋２０を第三収納袋３０の内部に収納する。図１７（ｂ）に示すように、ファスナー部１５の二つのスライダー１５ａ、１５ａ中央部まで移動させて収納口３０ａを閉鎖して、カバー３３の裏面端部に設けられた面ファスナー２５と第三収納袋３０の表面端部に設けられた面ファスナー２５とを当接させて接着し、カバー３３により第三収納袋３０の表面を覆った状態とする。最後に、カバー３３の表面に設けられた３箇所の書類等を保持可能な書類保持部３３ｂに、例えば、遺体の姓名、誕生年月日、死亡年月日等が記載された書類、遺体の写真（顔写真）、埋葬許可書等の公的書類等を設置して、本実施形態における遺体保護袋１への遺体の収容が完了する。
【００６７】
この後、三層の遺体保護袋１の外層の第三収納袋３０の両側面に設けられた、複数（例えば、左右３箇所の合計６箇所）の把持用持手３６を複数の人出で所持することで、遺体保護袋１を所定の安置場や埋葬場所に搬送することを可能としている。また、搬送ロープ等を複数の把持用持手３６に玉掛けすることで、クレーン等の重機を用いて、遺体保護袋１を搬送することもできる。
【００６８】
以下、図１８を参照して、本実施形態における遺体保護袋１を構成する第一収納袋１０、第二収納袋２０及び第三収納袋３０のサイズの一例を説明する。
【００６９】
図１８に示すように、素材であるポリエステルやポリエチレンを素材とした一枚の長方形のスパンボンド不織布１１により作製される第一収納袋１０は、袋状に形成された状態の長手方向の全長Ｗ３が２００ｍｍと１８０ｍｍとの二つのサイズが用意される。全長Ｗ３が２００ｍｍのものは成人男性用であり、全長Ｗ３が１８０ｍｍのものは成人女性又は子供用である。また、略封筒状の袋形状の第一収納袋１０の短手方向の最大幅は５５０ｍｍである。なお、一枚の長方形のスパンボンド不織布１１の長手方向の全長Ｗ２は、袋状に形成された状態で長手方向の全長Ｗ３を保てるように折代を考慮して、Ｗ２＞Ｗ３としている。
【００７０】
また、素材であるポリエチレンを素材とした一枚の略長方形のポリエチレンフィルム２１により作製される第二収納袋２０は、袋状に形成された状態の長手方向の全長Ｗ３が２１０ｍｍと１９０ｍｍとの二つのサイズが用意される。全長Ｗ３が２１０ｍｍのものは成人男性用であり、全長Ｗ３が１９０ｍｍのものは成人女性又は子供用である。また、略封筒状の袋形状の第二収納袋２０の短手方向の最大幅は６００ｍｍである。なお、一枚の略長方形のポリエチレンフィルム２１の長手方向の全長Ｗ２は、袋状に形成された状態で長手方向の全長Ｗ３を保てるように折代を考慮して、Ｗ２＞Ｗ３としている。
【００７１】
また、第三収納袋３０素材である一枚の略長方形のポリエチレン製の厚布３１によりを作製される第三収納袋３０は、長手方向の全長Ｗ３が２２０ｍｍと２００ｍｍとの二つのサイズが用意される。全長Ｗ３が２２０ｍｍのものは成人男性用であり、全長Ｗ３が２００ｍｍのものは成人女性又は子供用である。また、略円筒状の袋形状の第三収納袋３０の短手方向の最大幅は６５０ｍｍである。なお、一枚の略長方形のポリエチレン製の厚布３１の長手方向の全長Ｗ２は、袋状に形成された状態で長手方向の全長Ｗ３を保てるように折代を考慮して、Ｗ２＞Ｗ３としている。
【００７２】
遺体保護袋１を構成する第一収納袋１０、第二収納袋２０及び第三収納袋３０のサイズをあくまで標準としての一例であり、飛びぬけて長身や肥満の遺体に応じて種々のサイズの遺体保護袋１を用意されていることが望ましい。
【００７３】
以下、図１９〜図２１を参照して、第一収納袋１０の内部に、第一濃度の二酸化塩素ガスを放出する第一二酸化塩素放出手段と、第一濃度と異なる第二濃度の二酸化塩素ガスを放出する第二二酸化塩素放出手段とを備えた第一収納袋１０の構成を説明する。なお、以下の説明では、第一二酸化塩素放出手段と第二二酸化塩素放出手段の構成以外は、上述した第一収納袋１０と同様であるため、説明は省略する。
【００７４】
図１９に示すように、第一収納袋１０の内面の上面には、１箇所の第一二酸化塩素放出手段と、２か所の第二二酸化塩素放出手段とを収容するための、合計三箇所の収容部５０が設けられている。図２１に示すように、収容部５０は、収容部本体５１と面ファスナー２５で収容部本体５１に対して着脱自在の蓋部５２とで構成されている。長方形の収容部本体５１は、短手方向の１辺を開放した状態で、他の３辺の縫い代５１ａが、第一収納袋１０の内面に縫い付けられて取付けられている。長方形の一枚布の蓋部５２は、短手方向の１辺の縫い代５２ａが、第一収納袋１０の内面に縫い付けられ、多辺に設けられた面ファスナー２５と、収容部本体５１の上面に設けられた面ファスナー２５と接着することで、短手方向の１辺を開放した収容部本体５１を閉じる構成としている。
【００７５】
本実施形態における第一濃度の二酸化塩素ガスを放出する第一二酸化塩素放出手段は、円筒形状の二酸化塩素放出棒６０が用いられ、三箇所の収容部５０のうちの一箇所に収納されている。また、第一二酸化塩素放出手段の第一濃度と異なる第二濃度の二酸化塩素ガスを放出する第二二酸化塩素放出手段は、第一二酸化塩素放出手段と同様な円筒形状の二酸化塩素放出棒６０が用いられ、三箇所の収容部５０のうちの二箇所に収納されている。すなわち、蓋部５２に設けられた面ファスナー２５と収容部本体５１に設けられた面ファスナー２５とを接着することで、三箇所の収容部５０に夫々収容された二酸化塩素放出棒６０の脱落が防止される。
【００７６】
この二酸化塩素放出棒６０は、高濃度（例えば、４０ｐｐｍ）の二酸化塩素ガスを短期間（約２０分）放出する第一濃度の１本の二酸化塩素放出棒６０、低濃度（例えば、０．１ｐｐｍ）の二酸化塩素を長期間（約１〜２ヵ月）放出する第一濃度とは異なる第二濃度の２本の二酸化塩素放出棒６０とにより構成されている。
【００７７】
そして、第一収納袋１０に遺体を収納した後、まず、第一二酸化塩素放出手段である１本の二酸化塩素放出棒６０に衝撃（具体的には音が鳴るまで屈折させる）を与える。これにより、二酸化塩素放出棒６０から高濃度（例えば、４０ｐｐｍ）の二酸化塩素ガスが短期間（約２０分）第一収納袋１０内に放出される。このように、高濃度の二酸化塩素ガスを短期間放出することで、例えば、エボラウィルスに感染した遺体のエボラウィルスを短時間で殺菌することができ、その後の、遺体保護袋の搬送や埋葬を行う人員（以下、運搬者ともいう）に対する２次感染を防止することができ安全性を高めることができる。なお、第一二酸化塩素放出手段により高濃度の二酸化塩素を放出した後は、所定時間（例えば、３０分）の間は、遺体の運搬者が第一収納袋に触れたり、移動させたりすることがないようにする必要がある。
【００７８】
次に、第二二酸化塩素放出手段である２本の二酸化塩素放出棒６０に衝撃（具体的には音が鳴るまで屈折させる）を与える。これにより、低濃度（例えば、０．１ｐｐｍ）の二酸化塩素ガスが長期間（約１〜２ヵ月）第一収納袋１０内に放出される。これにより、ウィルスの殺菌を継続すると共に、遺体の細菌やカビ等の微生物の繁殖による腐敗によるガスの発生を所定期間防止することができる。このように、遺体からのガスの発生を抑制することにより、遺体を収納した第一収納袋１０がガスの発生により膨張して破裂することを防止することができる。
【００７９】
なお、この第一二酸化塩素放出手段である１本の二酸化塩素放出棒６０と、第二二酸化塩素放出手段である２本の二酸化塩素放出棒６０との取り扱いについては、図２０に示すように、第一収納袋１０の上面に設けられた三箇所の収容部５０の上部に、二酸化塩素放出棒６０の取り扱い説明書である手順書Ｍ３がそれぞれ貼付されている。この手順書Ｍ３には、第一収納袋１０に遺体を収納した後に、第一二酸化塩素放出手段である１本の二酸化塩素放出棒６０を音が鳴るまで屈折させる手順や、その後に第二二酸化塩素放出手段である２本の二酸化塩素放出棒６０を音が鳴るまで屈折させる手順や取扱時の注意事項等が記載されている。すなわち、この手順書Ｍ３に従って、第一二酸化塩素放出手段及び第二二酸化塩素放出手段である二酸化塩素放出棒６０を取り扱うだけで、作業者が容易に第一収納袋１０内に二酸化塩素ガスを放出できるようにしている。
【符号の説明】
【００８０】
１  遺体保護袋
１０  第一収納袋
２０  第二収納袋
３０  第三収納袋
３６  把持用持手
３３ｂ  書類保持部
１１  弾性体
１２Ｒ，１２Ｌ  接続部
１３Ｒ，１３Ｌ  着脱部
【図１】
0003202012.tif 000003
【図２】
0003202012.tif 000004
【図３】
0003202012.tif 000005
【図４】
0003202012.tif 000006
【図５】
0003202012.tif 000007
【図６】
0003202012.tif 000008
【図７】
0003202012.tif 000009
【図８】
0003202012.tif 000010
【図９】
0003202012.tif 000011
【図１０】
0003202012.tif 000012
【図１１】
0003202012.tif 000013
【図１２】
0003202012.tif 000014
【図１３】
0003202012.tif 000015
【図１４】
0003202012.tif 000016
【図１５】
0003202012.tif 000017
【図１６】
0003202012.tif 000018
【図１７】
0003202012.tif 000019
【図１８】
0003202012.tif 000020
【図１９】
0003202012.tif 000021
【図２０】
0003202012.tif 000022
【図２１】
0003202012.tif 000023